(57)【要約】【課題】入院患者が快適に情報を得ることができる病院用情報システムを提供する。【解決手段】病院用情報システム１は、入院患者が使用するタブレット端末１０と、病院内ＬＡＮ６０を介してタブレット端末１０と接続されており、特定の入院患者に対する情報を配信する病院内管理コンピュータ７０と、病院内ＬＡＮ６０及びインターネット５０を介してタブレット端末１０と接続されており、不特定の入院患者に対する情報を配信する病院外管理コンピュータ４０とを含む。タブレット端末１０にはテレビジョン受像機３０がＨＤＭＩケーブル３２を介して接続されている。入院患者は、自由な姿勢で軽量のタブレット端末１０を使用して情報を得ることができ、また、情報の内容等を考慮して、タブレット端末１０に出力されるべき情報の一部又は全部をテレビジョン受像機３０に転送して出力させることもできる。【選択図】図１
2013125464.tif 000002
【特許請求の範囲】
【請求項１】
病院の病室内に配置されている、入院患者が使用するタブレット端末と、
前記病室内に配置されており、映像及び音声を伝送する伝送手段を介して前記タブレットと接続されているテレビジョン受像機と、
前記病院と離れた場所に配置されており、公衆通信回線網及び病院内通信回線網を介して前記タブレット端末と接続されている病院外管理コンピュータと、
を含む病院用情報システムであって、
前記病院外管理コンピュータが、
映像及び音声の少なくとも一方からなるコンテンツを記憶するコンテンツ記憶手段と、
前記タブレット端末から送信された、前記コンテンツ記憶手段に記憶されているコンテンツの配信要求を受信する配信要求受信手段と、
前記コンテンツ記憶手段に記憶されているコンテンツの中から、前記タブレット端末からの配信要求に応じたコンテンツを選択するコンテンツ選択手段と、
前記コンテンツ選択手段が選択したコンテンツを前記タブレット端末に送信するコンテンツ送信手段と、
を備えており、
前記タブレット端末が、
前記病院外管理コンピュータに対して、前記病院外管理コンピュータのコンテンツ記憶手段に記憶されているコンテンツの配信要求を送信する配信要求送信手段と、
前記病院外管理コンピュータから送信されたコンテンツを受信する情報受信手段と、
前記情報受信手段が受信した情報を出力する映像音声出力手段と、
前記情報受信手段が受信した情報の少なくとも一部を前記テレビジョン受像機に伝送する映像音声転送手段と、
を備えていることを特徴とする病院用情報システム。
【請求項２】
前記タブレット端末にテレビ放送のチャンネル切り替えのための赤外線発信機が付設されており、
前記タブレット端末が、前記赤外線発信機を操作してテレビ放送のチャンネルを切り替えるリモートコントロール手段をさらに備えている、請求項１に記載の病院用情報システム。
【発明の詳細な説明】
【技術分野】
【０００１】
本発明は、病院内の病室に留まっている入院患者に対して様々な情報を提供する病院用情報システムに関する。なお、本発明に関する限り、「病院」には診療を施す設備を備えた施設の全てが含まれ、病院に所定期間留まって診療を受ける者を「入院患者」といい、入院患者に対して与えられる部屋を「病室」という。
【背景技術】
【０００２】
病院の各病室にはテレビジョン受像機が備えられていることが多いが、このテレビジョン受像機は入院患者に病院外の情報を提供するだけでなく、見舞いに来た面会者と入院患者との間の話題をも提供し、入院生活の快適性や入院患者のメンタルケアの点で大変重要な役割を果たしている。特に、医療保険の対象外である出産を扱う産婦人科病院では、質の良いサービスの提供が入院患者の増加につながる傾向にあるため、病室に比較的大型の液晶テレビが導入されるようになってきた。
【０００３】
また、入院患者に情報を提供する手段として、病室内に備えられた端末コンピュータを使用した情報システムも提案されている。例えば、特許文献１（特開２００３−２４２２５２号公報）には、一般のテレビ放送の受像機能に加えてインターネット技術等に基づく双方向の通信機能を備えた病室用テレビを用いて、電子メールやテレビ電話等による外部と入院患者との相互のコミュニケーションを提供するとともに、入院患者の治療等に関する情報を提供するシステムが記載されている。また、特許文献２（特開２００３−３１０６７２号公報）には、病室のベッドサイドに配置された床頭台に備えられたパソコンとモニター端末とを用いて、パソコンをモニター端末に接続するとともに、パソコンをＬＡＮを経由して端末管理サーバや電子カルテサーバと接続し、さらにはインターネットやＣＡＴＶ網等に接続するためのネットワークに接続したシステムが記載されている。これらの情報システムにより、入院患者はテレビ放送を見たり治療情報を閲覧したりすることができ、さらにはインターネットを介して外部と通信したり書籍のページを読んだりすることもできる。
【先行技術文献】
【特許文献】
【０００４】
【特許文献１】特開２００３−２４２２５２号公報
【特許文献２】特開２００３−３１０６７２号公報
【発明の概要】
【発明が解決しようとする課題】
【０００５】
病室に備えられたテレビジョン受像機は、面積の広いディスプレイに映像を表示するため、情報伝達力に優れ、入院患者がゆったりとした気分で情報を得ることができ、また見舞いに来た面会者と一緒に情報を得ることもできるが、地デジ等のテレビ放送を放映するためにだけ使用されているのが現状である。また、特許文献１や特許文献２に記載されたシステムを利用する場合には、病室用テレビやパソコンを操作するために入院患者がこれらに近づかなければならず、例えばベッドに寝ながらこれらを操作する等、自由な姿勢でシステムを利用することができず、使い勝手が悪い。また、面積の小さいディスプレイしか有していない病室用テレビやパソコンに接続されたモニター端末では、表示される映像の種類によっては物足りなさを感じる場合があり、見舞いに来た面会者と一緒に情報を楽しむことが制限される。
【０００６】
そこで、本発明の目的は、病院の入院患者に対して様々な情報を提供する病院用情報システムであって、使い勝手が良く、情報の内容等に応じて満足のいく質の情報を得ることができるシステムを提供することである。
【課題を解決するための手段】
【０００７】
上記目的は、入院患者が手に持ちながら操作することが可能な軽量なタブレット端末とテレビジョン受像機とを利用した本発明の病院用情報システムによって解決される。
【０００８】
本発明の病院用情報システムは、病院の病室内に配置されている入院患者が使用するタブレット端末と、上記病室内に配置されており、映像及び音声を伝送する伝送手段を介して上記タブレットと接続されているテレビジョン受像機と、上記病院と離れた場所に配置されており、公衆通信回線網及び病院内通信回線網を介して上記タブレット端末と接続されている病院外管理コンピュータとを含み、上記病院外管理コンピュータが、映像及び音声の少なくとも一方からなるコンテンツを記憶するコンテンツ記憶手段と、上記タブレット端末から送信された上記コンテンツ記憶手段に記憶されているコンテンツの配信要求を受信する配信要求受信手段と、上記コンテンツ記憶手段に記憶されているコンテンツの中から上記タブレット端末からの配信要求に応じたコンテンツを選択するコンテンツ選択手段と、上記コンテンツ選択手段が選択したコンテンツを上記タブレット端末に送信するコンテンツ送信手段とを備えており、上記タブレット端末が、上記病院外管理コンピュータに対して上記病院外管理コンピュータのコンテンツ記憶手段に記憶されているコンテンツの配信要求を送信する配信要求送信手段と、上記病院外管理コンピュータから送信されたコンテンツを受信する情報受信手段と、上記情報受信手段が受信した情報を出力する映像音声出力手段と、上記情報受信手段が受信した情報の少なくとも一部を上記テレビジョン受像機に伝送する映像音声転送手段とを備えていることを特徴とする。本明細書に関する限り、「映像」には、タブレット端末のディスプレイ及びテレビジョン受像機のディスプレイに表示される動画、静止画、文字情報の全てが含まれる。
【０００９】
本発明の病院用情報システムによると、通常はテレビ放送を放映するためにだけ使用されるテレビジョン受像機が有効に利用される。入院患者は、自由な姿勢で操作することができる軽量なタブレット端末を使用して、病院外管理コンピュータからコンテンツの配信を受けることができ、インターネット等の公衆通信回線を介して電子メールを行ったり書籍のページを読んだりすることができる。また、入院患者は、その日の気分や体調、配信されるコンテンツの内容、面会者の有無等に応じて、配信されるコンテンツの少なくとも一部をテレビジョン受像機に転送して楽しむこともできる。したがって、入院患者は、テレビジョン受像機を利用してゆったりとした気分でコンテンツを楽しむことができ、また面会者と共にコンテンツを楽しみながら会話を弾ませることができる。
【００１０】
本発明の病院用情報システムにおいて、上記タブレット端末にテレビ放送のチャンネル切り替えのための赤外線発信機を付設し、上記タブレット端末に上記赤外線発信機を操作してテレビ放送のチャンネルを切り替えるリモートコントロール手段をさらに備えさせた構成が好ましい。赤外線発信機は、ＵＳＢケーブル等によりタブレット端末と接続されていても良く、タブレット端末と一体化していても良い。この構成では、入院患者がテレビジョン受像機を用いてテレビ放送を楽しむ際に、タブレット端末をリモートコントローラとして使用することができる。
【００１１】
本発明の病院用情報システムでは、情報配信コンピュータとして病院外管理コンピュータを含んでいれば十分であるが、病院内にも情報配信コンピュータとしての病院内管理コンピュータを配置しても良い。そして、病院外管理コンピュータに不特定の入院患者に対して配信されるべき情報を配信させ、病院内管理コンピュータに特定の入院患者に対して配信されるべき情報を配信させるのが好ましい。本明細書に関する限り、特定の入院患者にのみ配信されるべき情報を「特定情報」といい、不特定の入院患者に配信されるべき情報を「不特定情報」という。この構成により入院患者に対して提供される情報の種類を増加させることがでる上に、入院患者が自己の個人情報を病院外の管理コンピュータに支配されているという心証を抱くことが防止される。
【発明の効果】
【００１２】
本発明の病院用情報システムによると、通常はテレビ放送を放映するためにだけ使用されるテレビジョン受像機を有効に利用することができ、入院患者は、病院外管理コンピュータから配信されたコンテンツ等を軽量なタブレット端末及び面積の広いディスプレイを有するテレビジョン受像機のいずれかに表示させることができる。したがって、入院患者は、その日の気分や体調、配信されるコンテンツの内容、面会者の有無等に応じていずれに表示させるかを選択することができるため、使い勝手が良いシステムが提供され、このシステムにより満足のいく質の情報を得ることができる。
【図面の簡単な説明】
【００１３】
【図１】本発明の実施の形態の産婦人科病院用の情報システムの構成の概略を示す図である。
【図２】図１に示す情報システムの機能ブロック図である。
【図３】タブレット端末及びテレビジョン受像機に映像や音声を出力するプロセスを示すフローチャートである。
【図４】電源を投入した直後のタブレット端末の画面表示を例示的に示す図である。
【図５】病院外管理コンピュータに対してコンテンツの配信を要求するためのタブレット端末の画面表示を例示的に示す図である。
【図６】病院外管理コンピュータに対してリラックスビデオの配信を要求するためのタブレット端末の画面表示を例示的に示す図である。
【図７】リラックスビデオの映像が表示されたタブレット端末の画面表示を例示的に示す図である。
【図８】リラックスビデオの映像が表示されたテレビジョン受像機の画面表示を例示的に示す図である。
【図９】病院内管理コンピュータに対して情報の配信を要求するためのタブレット端末の画面表示を例示的に示す図である。
【図１０】病院内管理コンピュータから配信される情報の種類を選定するためのタブレット端末の画面表示を例示的に示す図である。
【図１１】入院患者毎の情報を記憶するデータテーブルを概念的に示す図である。
【図１２】病院内管理コンピュータから配信された複数枚の写真の映像を表示したタブレット端末の画面表示を例示的に示す図である。
【発明を実施するための形態】
【００１４】
以下、産婦人科病院向けの情報システムを例として本発明の実施の形態を説明するが、本発明は以下の実施の形態に限定されず、本発明の趣旨を逸脱しない範囲での変更が可能である。
【００１５】
図１は、本実施の形態の病院用情報システム１の構成の概略を示す図である。病院用情報システム１は、病院２内の病室３の内部に配置されている入院患者が使用するタブレット端末１０と、タブレット端末１０が配置されているのと同じ病室３内に配置されている液晶テレビ（テレビジョン受像機）３０と、病院２と離れた場所に配置されている病院外管理コンピュータ４０と、病院２内の病室３以外の場所に配置されている病院内管理コンピュータ７０とを主要な構成要素として含んでいる。タブレット端末１０は、出産を控えた入院患者に対して入院時に貸与される。また、貸与時には入院患者毎に識別番号が付与される。
【００１６】
タブレット端末１０と病院内管理コンピュータ７０とは、病院内ＬＡＮ（病院内通信回線網）６０を介して相互に通信可能なように接続されており、タブレット端末１０と病院外管理コンピュータ４０とは、病院内ＬＡＮ６０及びインターネット（公衆通信回線網）５０を介して相互に通信可能なように接続されている。タブレット端末１０と液晶テレビ３０とは、映像及び音声を伝送するＨＤＭＩケーブル（伝送手段）３２により接続されている。６１はルータを表わしており、６２は映像多重装置を表わしており、６３はアクセスポイントを表わしている。そして、テレビ信号が伝送ケーブル３１を介して液晶テレビ３０と映像多重装置６２とに入力されるようになっている。
【００１７】
タブレット端末１０は、演算処理部と、記憶部と、入力部と、出力部と、通信部と、テレビチューナとを備えており、インターネットを介して入手されるＷＥＢ情報とテレビ放送の両方を楽しむことができる、軽量のタブレット型パーソナルコンピュータにより構成されており、病院外管理コンピュータ４０及び病院内管理コンピュータ７０は、演算処理部、記憶部、通信部等を備えた一般的なコンピュータにより構成されている。図４等にはタブレット端末１０が拡大されて示されている。図の１０ａはタブレット端末１０の電源スイッチであり、１０ｂは映像出力部と入力部とを兼ねるタッチパネルが表面に配置されたディスプレイであり、１０ｃは音声を出力するスピーカであり、１０ｄはアクセスポイント６３との通信線６０が接続されるコネクタであり、１０ｅはＨＤＭＩケーブル３２が接続されるコネクタである。タブレット端末１０にはさらに、液晶テレビ３０に受像されるテレビ放送のチャンネルを切り替えるための赤外線発信機２０に接続されたＵＳＢケーブル２１を接続するためのコネクタ１０ｆが備えられている。液晶テレビ３０は、テレビ信号入力部、映像出力表示部であるディスプレイ（図８、３０ａ）、音声出力部であるスピーカ、及びＨＤＭＩケーブル３２と接続されるコネクタを備えている。
【００１８】
図２は、図１に示されたハード構成と、タブレット端末１０、病院外管理コンピュータ４０及び病院内管理コンピュータ７０の記憶部に記憶されているソフトウェアとの協働により達成される機能のブロック図を示している。
【００１９】
タブレット端末１０は、タブレット端末に配信されるべき情報のそれぞれに対して予め付与されている識別記号を記憶している識別記号記憶手段１１と、液晶テレビ３０によってテレビ放送を見るか否かの選択と配信されるべき情報の指定とを行う情報／表示指定手段１２と、入院患者が液晶テレビ３０でテレビ放送を見ることを選択した場合に、赤外線発信機２０を介してテレビ放送のチャンネルを切り替えるリモートコントロール手段１３と、病院外管理コンピュータ４０にコンテンツの配信を要求する配信要求送信手段１４と、病院内管理コンピュータ７０に情報の配信を要求する情報要求送信手段１５とを有している。タブレット端末１０はさらに、病院外管理コンピュータ４０から送信されたコンテンツや、病院内管理コンピュータ７０から送信された情報や、映像多重装置６２及びアクセスポイント６３を介して供給されるテレビ信号や、病院外管理コンピュータ４０以外とインターネットを介して通信することにより得られる電子メールや書籍のページに記載された情報等を受信するための情報受信手段１６を有している。これらの情報は、映像及び音声の少なくとも一方から構成されている。タブレット端末１０はまた、情報受信手段１６により受信された情報を出力する映像音声出力手段１７と、情報受信手段１６により受信された情報の少なくとも一部を液晶テレビ３０に伝送するための映像音声転送手段１８とを有している。
【００２０】
病院外管理コンピュータ４０は、タブレット端末１０に配信可能な複数のコンテンツとそれぞれのコンテンツに対応する識別記号とを対応させて記憶しているコンテンツ記憶手段４３を有している。本実施の形態では、コンテンツ記憶手段４３には、例えば、病院の院長等による不特定の入院患者向けの挨拶や病院の施設の紹介、出産前後の母親に提供される育児に関する情報や産後のケアに関する情報、出産前後の母親をリラックスさせるためのリラックスビデオ等のように、不特定の入院患者に配信されるべき不特定情報（コンテンツ）のみが、各コンテンツを識別するための識別番号とともに記憶されている。病院外管理コンピュータ４０はさらに、タブレット端末１０の配信要求送信手段１４からの配信要求を受信する配信要求受信手段４１と、コンテンツ記憶手段４３に記憶されたコンテンツの中から配信要求に従ったコンテンツを選択するコンテンツ選択手段４２と、コンテンツ選択手段４２が選択したコンテンツをタブレット端末１０に向けて配信するコンテンツ送信手段４４とを有している。
【００２１】
病院内管理コンピュータ７０はまず、タブレット端末１０に配信可能な特定情報とそれぞれの特定情報に対応する識別記号とを対応させて記憶している特定情報記憶手段７３を有している。本実施の形態では、特定情報記憶手段７３には、特定の入院患者にのみ配信されるべき特定情報として、特定の入院患者における出産から退院までのスケジュール及び一日毎の検診等の予定時間、生まれた赤ちゃんの写真、入院患者の血圧や脈拍等の健康管理情報などが、各特定情報の種類を識別するための識別記号とともに記憶されている。病院内管理コンピュータ７０はさらに、タブレット端末１０の情報要求送信手段１５からの配信要求を受信する情報要求受信手段７１と、特定情報記憶手段７３に記憶された特定情報の中から配信要求に従った特定情報を選択する特定情報選択手段７２と、特定情報選択手段７２が選択した特定情報をタブレット端末１０に向けて配信する特定情報送信手段７４とを有している。
【００２２】
図３は、タブレット端末１０及び液晶テレビ３０に映像音声を出力するプロセスを示すフローチャートであるが、図４〜図１２を参照しながらこのフローチャートを説明する。
【００２３】
タブレット端末１０の電源スイッチ１０ａが投入されると、タブレット端末１０の情報／表示指定手段１２は図４に例示する画面をディスプレイ１０ｂに表示し（Ｓ１０１）、テレビを見るか、タブレットの表示を見るかの選択を入院患者に促す。入院患者が図４に例示するディスプレイ１０ｂの画面表示の「テレビを見る」の表示部分にタッチすると、タブレット端末１０は一般的なリモートコントローラとして機能するようになり（Ｓ１０２）、リモートコントロール手段１３が、ディスプレイ１０ｂ上のチャンネル番号の表示部分やチャンネルのアップダウンの表示部分や音量のアップダウンの表示部分に対する入院患者からの入力に従って、液晶テレビ３０の調整を行う。チャンネル番号の表示部分やチャンネルのアップダウンの表示部分に入院患者がタッチすると、リモートコントロール手段１３はＵＳＢケーブル２１を介して赤外線発信機２０を動作させ、テレビ放送のチャンネルを切り替える。したがって、入院患者は、通常と全く変わらない状況で液晶テレビ３０のテレビ放送を楽しむことができる。
【００２４】
入院患者が図４に例示するディスプレイ１０ｂの画面表示の「タブレットを見る」の表示部分にタッチすると、情報／表示指定手段１２は図５に例示する画面をディスプレイ１０ｂに表示し（Ｓ１０３）、コンテンツの選択を入院患者に促す。図５のディスプレイ１０ｂの画面表示のうち、上段の「ご挨拶  施設案内」、「育児百科  産後ケア」、「リラックスビデオ」の表示部分は、病院外管理コンピュータ４０のコンテンツ記憶手段４３に記憶されている、不特定の入院患者に配信されるべき不特定情報に対応しており、下段の「お知らせ」の表示部分は、病院内管理コンピュータ７０の特定情報記憶手段７３に記憶されている、特定の入院患者に配信されるべき特定情報に対応しており、「インターネット」、「地デジ」の表示部分は、病院外管理コンピュータ４０以外とインターネットを介して通信することにより得られる電子メールや書籍のページに記載された情報等或いは地デジ信号を受信するための表示である。
【００２５】
入院患者がディスプレイ１０ｂの「ご挨拶  施設案内」、「育児百科  産後ケア」、「リラックスビデオ」の表示部分のいずれかにタッチすることによりコンテンツを選択すると、配信要求送信手段１４は、選択されたコンテンツに対応する識別記号を識別記号記憶手段１１から読み出し、読み出したコンテンツの識別記号とともに配信要求を病院外管理コンピュータ４０の配信要求受信手段４１に向けて送信し（Ｓ１０４）、配信要求受信手段４１が送信された配信要求とコンテンツの識別記号とを受信する（Ｓ１０５）。コンテンツ選択手段４２は、配信要求受信手段４１から配信要求とコンテンツの識別記号とを取得し、コンテンツ記憶手段４３に記憶されているコンテンツの中から取得した識別番号に対応するコンテンツを選択する（Ｓ１０６）。そして、コンテンツ送信手段４４は、コンテンツ選択手段４２が選択したコンテンツをタブレット端末１０の情報受信手段１６に向けて送信する（Ｓ１０７）。
【００２６】
タブレット端末１０の情報受信手段１６は、病院外管理コンピュータ４０から送信されたコンテンツを受信し（Ｓ１０８）、映像音声出力手段１７はタブレット端末１０のディスプレイ１０ｂに受信した映像を出力し、スピーカ１０ｃに受信した音声を出力する。図６は、入院患者が図５のディスプレイ１０ｂの画面表示の「リラックスビデオ」の表示部分にタッチしたときに、映像音声出力手段１７によりディスプレイ１０ｂに出力されるビデオ映像を例示的に示しており、「山」、「海」、「花」、「動物」に関する４つのビデオ映像がディスプレイ１０ｂ上に表示されている。ディスプレイ１０ｂの画面表示の「テレビで見る」の表示部分は、ビデオ情報を液晶テレビ３０に転送するかどうかの入力を入院患者に促すための表示である。
【００２７】
入院患者が図６のディスプレイ１０ｂの画面表示のいずれかのビデオ映像にタッチすることにより一つのビデオ映像を選択すると、図７に示すように選択されたビデオ映像がディスプレイ１０ｂの全体に表示され、対応する音声がスピーカ１０ｃから出力される。また、入院患者が図６のディスプレイ１０ｂの画面表示のいずれかのビデオ映像にタッチするとともに、「テレビで見る」の表示部分にタッチする（Ｓ１０９）と、映像音声転送手段１８が対応するビデオ情報の映像と音声とをＨＤＭＩケーブル３２を介して液晶テレビ３０に転送し、図８に示すように選択されたビデオ映像が液晶テレビ３０のディスプレイ３０ａの全体に表示され、対応する音声が液晶テレビ３０のスピーカ（図示せず）から出力される。したがって、入院患者は、面積の広いディスプレイ３０ａを有する液晶テレビ３０を利用してゆったりした気持ちでリラックスビデオの映像を楽しむことができるため、リラックス効果が向上する。また、入院患者の家族などの面会者とともに液晶テレビ３０のディスプレイ３０ａに表示されたビデオ映像を見ながら会話を楽しむことができる。
【００２８】
入院患者が図５のディスプレイ１０ｂの画面表示の「お知らせ」の表示部分にタッチすると、情報／表示指定手段１２により、図９に例示するような入院患者に対して予め付与された識別コードの入力を求める表示がディスプレイ１０ｂに表示される。入院患者が識別コード入力欄の下の０〜９の表示部分にタッチしながら識別コードを入力する（Ｓ１１０）と、情報／表示指定手段１２により、図１０に例示するように、病院内管理コンピュータ７０の特定情報記憶手段７３に記憶されている特定情報の種類に対応した、「退院までのスケジュール」、「本日の予定」、「赤ちゃんの写真」、「ママの健康」の表示がディスプレイ１０ｂに表示される。入院患者がいずれかの表示部分にタッチすることにより配信を要求する特定情報を選択すると、情報要求送信手段１５は、選択された特定情報に対応する識別記号を識別記号記憶手段１１から読み出し、読み出した特定情報の識別記号と入院患者の識別コードとを配信要求とともに病院内管理コンピュータ７０の情報要求受信手段７１に向けて送信し（Ｓ１１１）、情報要求受信手段７１が送信された配信要求とコンテンツの識別記号と入院患者の識別コードとを受信する（Ｓ１１２）。
【００２９】
図１１は、病院内管理コンピュータ７０の特定情報記憶手段７３に記憶されている、入院患者毎の特定情報を記憶するデータテーブルを概念的に示した図である。データテーブルには、入院患者毎に、入院患者の氏名、住所、電話番号、この入院患者に付与された識別コードが記憶されており、この入院患者に貸与されたタブレット端末に付与された管理番号も記憶されている。また、データテーブルのＡ欄には、入院日からの経過日数に応じた主なスケジュールが「退院までのスケジュール」として記憶されており、Ｂ欄には一日毎の検診等の予定時間が「本日の予定」として記憶されており、Ｃ欄には生まれた赤ちゃんの写真ファイルが「赤ちゃんの写真」として記憶されており、Ｄ欄には入院患者の検診時に採集された血圧及び脈拍の値が「ママの健康」として記憶されている。
【００３０】
特定情報選択手段７２は、情報要求受信手段７１から配信要求と特定情報の識別記号と入院患者の識別コードとを取得し、特定情報記憶手段７３に記憶されているデータテーブルの中から、取得した識別コードに対応するデータテーブルを選択し、さらに取得した識別記号に対応する特定情報を選択する（Ｓ１１３）。例えば、入院患者が図１０のディスプレイ１０ｂの画面表示の「赤ちゃんの写真」の表示部分にタッチしたときには、特定情報選択手段７２により、対応する入院患者のデータテーブルのＣ欄に記憶された情報が選択される。そして、特定情報送信手段７４は、特定情報選択手段７２が選択した特定情報をタブレット端末１０の情報受信手段１６に向けて送信する（Ｓ１１４）。
【００３１】
タブレット端末１０の情報受信手段１６は、病院内管理コンピュータ７０から送信された特定情報を受信し（Ｓ１１５）、映像音声出力手段１７はタブレット端末１０のディスプレイ１０ｂに受信した映像を出力する。図１２は、入院患者が図１０のディスプレイ１０ｂの画面表示の「赤ちゃんの写真」の表示部分にタッチしたときに、映像音声出力手段１７によりディスプレイ１０ｂに出力される写真映像を例示しており、９つの写真映像がディスプレイ１０ｂ上に表示されている。ディスプレイ１０ｂの画面表示の「テレビで見る」の表示部分は、写真映像を液晶テレビ３０に転送するかどうかの入力を入院患者に促すための表示である。
【００３２】
入院患者が図１２のディスプレイ１０ｂの画面表示のいずれかの写真映像にタッチすることにより一つの写真映像を選択すると、選択された写真映像がディスプレイ１０ｂの全体に表示される。また、入院患者が図１２のディスプレイ１０ｂの画面表示のいずれかの写真映像にタッチするとともに「テレビで見る」の表示部分にタッチする（Ｓ１１６）と、映像音声転送手段１８が対応する写真情報の映像をＨＤＭＩケーブル３２を介して液晶テレビ３０に送信し、選択された写真映像がディスプレイ３０ａの全体に表示される。したがって、入院患者は、面積の広いディスプレイ３０ａを有する液晶テレビ３０を利用して、拡大されて表示された赤ちゃんの写真映像を見ることができ、入院患者の家族などの面会者とともに赤ちゃんの写真映像を見ながら会話を楽しむことができる。
【００３３】
入院患者が図５のディスプレイ１０ｂの「インターネット」或いは「地デジ」の表示部分にタッチすると、入院患者がインターネット５０を介して入手した電子メールや書籍のページに記載された情報等や地デジ放送がタブレット端末の情報受信手段１６によって受信され（Ｓ１１７）、受信された情報が映像音声出力手段１７によってディスプレイ１０ｂに表示され、入院患者の選択に応じて映像音声転送手段１８が対応する情報をＨＤＭＩケーブル３２を介して液晶テレビ３０に送信する（Ｓ１１８）。
【００３４】
本実施の形態の病院用情報システム１では、病院外管理コンピュータ４０側が不特定情報のみを配信するため、入院患者は個人的な情報を病院外管理コンピュータ４０に支配されているという心証を抱くことがない。
【００３５】
以上、本発明の一実施の形態について説明したが、本発明の病院用情報システムは産婦人科病院用の情報システムに限定されるものではなく、タブレット端末に配信される情報も、上述した情報の全てを含んでいる必要はなく、病院の専門等を考慮して適宜変更される。また、病院外管理コンピュータが病院内管理コンピュータの機能を兼ねることも可能である。さらに、本発明の病院用情報システムにおける通信は有線での通信のみで実現されている必要は無く、一部を無線での通信で行うことも可能である。特に、病院内ＬＡＮに無線ＬＡＮアクセスポイントを接続し、このアクセスポイントとタブレット端末との間の通信を無線により行うと、タブレット端末を使用する場所や使用の際の入院患者の姿勢に制限がさらになくなるため好ましい。また、タブレット端末に記憶されるアプリケーションソフトにより、情報受信手段が受信した映像情報の一部をタブレット端末のディスプレイに表示し、残部を液晶テレビのディスプレイに表示することも可能である。さらに、特定情報の配信を要求するために、識別コードの入力に代わって、指紋照合やＩＤカード等を利用することもできる。
【産業上の利用可能性】
【００３６】
本発明は、使い勝手が良く情報伝達力に優れた病院用情報システムを提供する。
【符号の説明】
【００３７】
１  病院用情報システム
２  病院
３  病室
１０  タブレット端末
１３  リモートコントロール手段
１４  配信要求送信手段
１６  情報受信手段
１７  映像音声出力手段
１８  映像音声転送手段
２０  赤外線発信機
３０  液晶テレビ（テレビジョン受像機）
３２  ＨＤＭＩケーブル（伝送手段）
４０  病院外管理コンピュータ
４１  配信要求受信手段
４２  コンテンツ選択手段
４３  コンテンツ記憶手段
４４  コンテンツ送信手段
５０  インターネット（公衆通信回線網）
６０  病院内ＬＡＮ（病院内通信回線網）
【図１】
2013125464.tif 000003
【図２】
2013125464.tif 000004
【図３】
2013125464.tif 000005
【図４】
2013125464.tif 000006
【図５】
2013125464.tif 000007
【図６】
2013125464.tif 000008
【図７】
2013125464.tif 000009
【図８】
2013125464.tif 000010
【図９】
2013125464.tif 000011
【図１０】
2013125464.tif 000012
【図１１】
2013125464.tif 000013
【図１２】
2013125464.tif 000014